(57)【要約】【課題】  カードコネクタからのトレイの引き出しにおけるストローク量が簡便に増大するカードコネクタを提供する。【解決手段】  ベース部材１１にカバー部材が重ね合わされて形成されるカード・トレイ収容空間１３をもつカードコネクタにおいて、ベース部材１１は平板状の絶縁体平板部１１ａと２つの金属板部１１ｂ，１１ｂから構成される。絶縁体平板部１１ａにはカードの外部端子が加圧接触する例えば第１のコンタクト列１６と第２のコンタクト列１７が設けられる。そして、金属板部１１ｂ，１１ｂの側壁１１ｃに、カード・トレイ収容空間１３に向かって突出するトレイ抜脱ストッパ１８が互いに向かい合って一対に設けられる。このトレイ抜脱ストッパ１８，１８がトレイの側壁部に係合しカードコネクタからの抜脱を防止する。【選択図】  図２
2012128974.tif 000002
【特許請求の範囲】
【請求項１】
カードを収容できるトレイと、複数のコンタクトを有するベース部材と、前記ベース部材に組み合わされ前記ベース部材と共に前記トレイが収容されるカード・トレイ収容空間を形成するカバー部材と、を備えたカードコネクタにおいて、
前記ベース部材に前記ベース部材の一部が上方向に切り起こされて前記ベース部材の左右の側壁から前記カード・トレイ収容空間に横方向に突出するトレイ抜脱ストッパが設けられ、かつ前記トレイ抜脱ストッパは前記カード・トレイ収容空間の後端にあって前記カードが取り出されるカード挿抜口に形成され、前記トレイの前端に係合部が設けられ、前記トレイ抜脱ストッパと前記係合部により前記トレイのカードコネクタからの抜脱を防止するようになっていることを特徴とするカードコネクタ。
【請求項２】
前記トレイ抜脱ストッパは、前記横方向に突出するその水平部が前記カード挿抜口に向かって前記カバー部材の側から前記ベース部材の側に下がるように傾斜していることを特徴とする請求項１に記載のカードコネクタ。
【請求項３】
前記ベース部材は、少なくともその側壁が板ばね金属材料により形成されていることを特徴とする請求項１又は２に記載のカードコネクタ。
【請求項４】
前記トレイの側壁部の外側面に沿って凹部が形成され、前記トレイ抜脱ストッパは前記凹部に滑合することを特徴とする請求項１ないし３のいずれか一項に記載のカードコネクタ。
【発明の詳細な説明】
【技術分野】
【０００１】
本発明は、カードコネクタに関し、特にカードをトレイに収容してコネクタに対する着脱を行うトレイタイプのカードコネクタに関する。
【背景技術】
【０００２】
近年、パソコン、デジタルカメラ、録音機、携帯電話、携帯型オーディオ、ＰＤＡ（Ｐｅｒｓｏｎａｌ  Ｄｉｇｉｔａｌ  Ａｓｓｉｓｔａｎｃｅ）、各種情報端末機器などの電子機器において、ＩＣカード等のカードの利用が増大している。カードには、情報の記録、伝達あるいは処理に用いられるＩＣチップと呼ばれるＩＣ部品が組込まれたＰＣカード、ＭＭＣ（Ｍｕｌｔｉ  Ｍｅｄｉａ  Ｃａｒｄ）カード、ＳＤ（Ｓｅｃｕｒｅ  Ｄｉｇｉｔａｌ）カード、ＳＩＭ（Ｓｕｂｓｃｒｉｂｅｒ  Ｉｄｅｎｔｉｔｙ  Ｍｏｄｕｌｅ）カード等がある。
【０００３】
通常、これ等のカードは上記機器の回路基板等に取り付けられたカードコネクタ（以下、単にコネクタともいう）に装着され使用される。そのようなコネクタとして、例えば特許文献１のような、カードを載せるためのトレイを有するものが知られている。このコネクタは、上面が開口し、かつ底部に回路基板と導通するコンタクトを固定したハウジングと、該ハウジングの上面を塞ぐ金属製のカバーと、カードを支持しながらハウジングとカバーによって形成された挿抜口および収容空間をスライドして出し入れ（挿出）可能なトレイと、を具備している。
【０００４】
ここで、トレイは左右一対のアームを備え、左右のアームの下面に突設するストッパを有している。また、ハウジングの底面には挿抜口側付近に基端が形成され、挿入方向（前方）に先端が延びる片持ち梁状の板ばねが設けられ、左右のアームの上記ストッパと係合する。トレイをコネクタから引き出そうとすると、上記板ばねとストッパが係合し、板ばねの弾性付勢力によってトレイがコネクタ内に保持される。従って、トレイがコネクタから脱落するのが防止される。なお、上記片持ち梁状板ばねを用いたトレイの脱落防止のストッパ（以下、トレイ抜脱ストッパという）については、その他に種々の形態がある。例えば同様な片持ち梁状板ばねが金属製のカバーの側壁あるいは上壁に設けられた構造になっている。
【先行技術文献】
【特許文献】
【０００５】
【特許文献１】特開２００６−２０９９９２号公報
【発明の概要】
【発明が解決しようとする課題】
【０００６】
ところで、各種情報端末機器などの電子機器の小型化に伴い、カードコネクタを低背化、小型化することが要求されている。しかしながら、カードコネクタの小型化に伴い、トレイの抜脱を防止するために用いられている従来の片持ち梁状板ばねのトレイ抜脱ストッパでは、トレイのイジェクト状態において、トレイからカードを取り出すことが難くなるという問題が生じてくる。これは、例えば従来のトレイ抜脱ストッパでは、上述したようにコネクタ内にトレイを保持するには板ばねの弾性付勢が必要となる。所定の弾性付勢力を得るために、板ばねの基端から挿入方向（前方）に延びる先端の間のばね長を縮減することは困難である。このため、トレイの取り出し状態において、少なくとも板ばねの長さ分は、トレイはカード挿抜口からカード・トレイ収容空間内に保持されることとなる。このため、カード後端部を掴んでトレイから取り出そうとしても、カード挿抜口において、カード前端部がカバー部材の上壁とトレイの底壁部の間で引掛り、トレイからカードを取り出すことが困難となる。
【０００７】
上述したカード取り出しの不具合を解決するために、カード挿抜口の上下寸法を相対的に大きくすることが考えられる。しかし、これはカードコネクタの低背化を阻む。このように、従来のトレイ抜脱ストッパはカード、カードコネクタの更なる小型化、低背化の阻害要因にもなる。また、板ばねの基端位置を挿入方向側にし、先端位置を挿抜口付近に延在するように変更し、トレイ引き出しのトローク量を大きくする方法も考えられるが、トレイを挿入する際に、トレイ先端と板バネの先端が衝突することで板バネが変形し、トレイの抜脱を防止できなくなる恐れがある。
【０００８】
本発明は、上述の事情に鑑みてなされたもので、カードコネクタからのトレイ引き出しにおけるストローク量が簡便に増大するトレイ抜脱ストッパを備えたカードコネクタを提供することを目的とする。そして、カードコネクタの小型化、低背化にあってもトレイからのカードの取り出しを容易にする。
【課題を解決するための手段】
【０００９】
上記目的を達成するために、本発明にかかるカードコネクタは、カードを収容できるトレイと、複数のコンタクトを有するベース部材と、前記ベース部材に組み合わされ前記ベース部材と共に前記トレイが収容されるカード・トレイ収容空間を形成するカバー部材と、を備えたカードコネクタにおいて、前記ベース部材に前記ベース部材の一部が上方向に切り起こされて前記ベース部材の左右の側壁から前記カード・トレイ収容空間に横方向に突出するトレイ抜脱ストッパが設けられ、かつ前記トレイ抜脱ストッパは前記カード・トレイ収容空間の後端にあって前記カードが取り出されるカード挿抜口に形成され、前記トレイの前端に係合部が設けられ、前記トレイ抜脱ストッパと前記係合部により前記トレイのカードコネクタからの抜脱を防止するようになっている。
【発明の効果】
【００１０】
本発明により、カードコネクタからの引き出しにおけるトレイのストローク量が簡便に増大するカードコネクタを提供することができる。そして、トレイのイジェクト状態において、トレイからカードが取り出し易くなる。
【図面の簡単な説明】
【００１１】
【図１】本発明の実施形態にかかるカードコネクタの一例を示す上面図である。
【図２】図１のカードコネクタからカバー部材およびトレイを取り外した状態のベース部材を示し、（ａ）はその上面図であり、（ｂ）はカード挿抜口からの正面図である。
【図３】本発明の実施形態にかかるカードコネクタのトレイ抜脱ストッパの一例を示し、（ａ）は図２のＸ−Ｘ拡大断面図であり、（ｂ）は図２の領域Ａの拡大図である。
【図４】本発明の実施形態にかかるカードコネクタのトレイを示す斜視図である。
【図５】本発明の実施形態におけるカードコネクタの動作の説明に供する図であり、（ａ）はカードを脱着するためにトレイを引き出した状態（イジェクト状態）の上面図、（ｂ）は（ａ）のＹ−Ｙ拡大断面図である。
【発明を実施するための形態】
【００１２】
以下に本発明の好適な実施形態について図１ないし図５を参照して説明する。以下、図面においては、その要部に符号が付され、互いに同一または類似の部分には共通の符号を付して、重複説明は一部省略される。なお、本明細書では、カードコネクタ構造の説明を判り易くするため、コネクタに対するカードの挿抜方向を基準にした用語に統一する。例えば、カード前端部の挿入方向に用語「前」、カード後端部の引き出し方向に用語「後」をそれぞれ付す。また、コネクタのカバー部材が位置する側に用語「上」、ベース部材側に用語「下」を付す。
【００１３】
図１、２に示すように、本実施形態のカードコネクタ１０は、略扁平な直方体をなし、コネクタ本体のベース部材１１と、このベース部材１１に組み合わされたカバー部材１２により形成される。ここで、ベース部材１１とカバー部材１２が上下に重ね合わされ、カード・トレイ収容空間１３が形成されている。そして、カード・トレイ収容空間１３の後端がカード挿抜口１４として開放されている。このカード挿抜口１４を通して、例えばＳＩＭカードのようなカード（図示せず）の収容されたトレイ１５がカード・トレイ収容空間１３に挿入され、あるいはカード・トレイ収容空間１３から引き出される。そして、カードのコネクタに対する装着あるいは脱着がなされる。
【００１４】
ベース部材１１は、例えば加工性に優れたＬＣＰ（液晶ポリマー）や９Ｔナイロンのような絶縁性の合成樹脂材料からなる平板状の絶縁体平板部１１ａと、金属板の折り曲げ加工で形成された２つの金属板部１１ｂ、１１ｂから構成される。これ等の金属板は例えばステンレスのような板ばね金属材料からなる。ここで、この２つの金属板部１１ｂ，１１ｂは絶縁体平板部１１ａを挟んで絶縁体平板部１１ａの両側部に圧入あるいは接合している。
【００１５】
カバー部材１２は金属材料により形成されると好適である。例えばステンレス等の板金カバーのように板ばね金属材料により作製されるのが好ましい。
【００１６】
そして、このカード・トレイ収容空間１３の前方には、例えばカードの前端部に設けられた外部端子のコンタクトパッド（図示せず）と加圧接触する複数（図では３個）の弾性接片からなる第１のコンタクト列１６が、ベース部材１１の絶縁体平板部１１ａに埋め込みや圧入により設けられている。そして、第１のコンタクト列１６は、カードコネクタ１０の搭載される電子機器の端子に電気的に接続される第１の接続端子部１６ａとして、例えばベース部材１１の前壁から外部に延出している。
【００１７】
同様に、カード・トレイ収容空間１３の後方に、カードの後端部のコンタクトパッドに加圧接触する複数（図では３個）の弾性接片からなる第２のコンタクト列１７が、ベース部材１１の絶縁体平板部１１ａに設けられている。そして、この第２のコンタクト列１７は、第２の接続端子部１７ａとして、カード挿抜口１４からベース部材１１の外部に延出している。なお、これ等のコンタクト配置には電子機器に合わせた種々の態様がある。
【００１８】
そして、トレイ抜脱ストッパ１８が上記金属板部１１ｂの一部の打ち曲げ加工により、カード・トレイ収容空間１３に向かって折り曲げられ突出するように形成されている。トレイ抜脱ストッパ１８は、カード・トレイ収容空間１３の後端となるカード挿抜口１４において、ベース部材１１の左右の側壁１１ｃに一対に互いに向かい合って設けられる。それと共に、金属板部１１ｂあるいは側壁１１ｃには切り欠き１９が形成される。なお、トレイ抜脱ストッパ１８は図２（ａ）に示すよりも後端に位置し、カード挿抜口１４に接するように形成されていても構わない。
【００１９】
図３に示されるように、このトレイ抜脱ストッパ１８は、側壁１１ｃを基端とする側壁１１ｃあるいは金属板部１１ｂの所定幅の切り起こし片になり、水平部１８ａと垂直部１８ｂを有する。ここで、水平部１８ａはカード・トレイ収容空間１３に向かって横方向に突出している部分であり、垂直部１８ｂは側壁１１ｃの一部であって下方向に延在する部分である。そして、垂直部１８ｂの両脇には切り欠き１９が延在している。
【００２０】
また、この切り起こし片の水平部１８ａは金属板部１１ｂ面に対して所定の傾斜角度を有すると好適である。すなわち、トレイ１５の挿出方向に所定幅をもつ水平部１８ａは、その前端部よりもその後端部が金属板部１１ｂに近づくように傾斜しているとよい。また、図２（ａ）に示されるように、上記水平部１８ａの前端部の方が後端部よりもカード・トレイ収容空間１３に突き出すように、水平部１８ａのカード・トレイ収容空間１３に面する端面が傾斜しているとよい。
【００２１】
そして、このトレイ抜脱ストッパ１８がトレイ１５をイジェクト状態にした後の更なる引き出し移動を防止することになる。ここで、トレイ抜脱ストッパ１８となる切り起こし片の先端あるいは縁端の角部はアールが付けられ丸みを有するようになっていると好適である。なお、上記水平部１８ａにおける傾斜についてはカードコネクタ１０の動作説明において後述される。
【００２２】
図４に示すように、トレイ１５は、例えばポリアセタール（ＰＯＭ）のような合成樹脂製であり、底壁部１５ａ、前壁部１５ｂ、後壁部１５ｃ及び左右の側壁部１５ｄを有する。また、その後壁部１５ｃと側壁部１５ｄが交差する領域に傾斜壁１５ｅが形成されている。カードは、そのコンタクトパッドが下方に開放されて底壁部１５ａ上に載置され、上方が開放されてトレイ１５に収容されるようになっている。ここで、傾斜壁１５ｅは、カードに形成された切り欠き部に対応して形成され、カードの誤挿入防止の働きをする。
【００２３】
側壁部１５ｄには、その外側面に沿って凹部１５ｆが設けられている。ここで、凹部１５ｆは、側壁部１５ｄの先端部１５ｇの下部領域に形成された係合部１５ｈが一終端になり、トレイ１５の後壁部１５ｃと側壁部１５ｄが交差する領域が他終端になるように形成されている。この凹部１５ｆにトレイ抜脱ストッパ１８が滑合するようになる。上記トレイ１５の後壁部１５ｃから側壁部１５ｄにかけてそれ等の上面は同一面になっているが、上記先端部１５ｇではその上面下側に低く低面部１５ｊを形成しており、カバー部材の上壁１２ａとの間に隙間を設けている。この隙間によって、トレイをコネクタに取り付ける際に挿入しやすくなる。
【００２４】
また、トレイ１５では、その後壁部１５ｃに把持部１５ｉが設けられている。この把持部１５ｉは、トレイ１５の挿入および引き出しにおいて掴むところであり、カードコネクタ１０に対するトレイ１５の挿出を容易にする。
【００２５】
なお、上述したようなカードコネクタ１０では、ベース部材１１の側壁１１ｃにおける所定箇所に複数の突起部２０が設けられ、カバー部材１２の側壁１２ｂに設けられた開口（図示せず）に係合するようになっている。そして、カバー部材１２はベース部材１１と組み合わされる。このカードコネクタ１０は、カバー部材１２の折曲げ片１２ｃ下端が電子機器の例えばプリント基板等に半田付けされて、電子機器に取り付けられる。
【００２６】
次に、本実施形態のカードコネクタ１０の動作について図５を参照して説明する。はじめにカードをカードコネクタ１０から脱着する場合について説明する。図５は、トレイ１５がカード挿抜口１４を通して最も後方に引き出し移動したイジェクト状態を示す図になっている。この状態で、トレイ１５の底壁部１５ａに載置され収容されているカード（図示せず）のカード後端部が掴まれてトレイ１５から取り出されることになる。
【００２７】
このトレイ１５は、把持部１５ｉが掴まれ、カード挿抜口１４を通してカードコネクタ１０のカード・トレイ収容空間１３から引き出される。このトレイ１５の引き出しにおいて、初めに、カードコネクタ１０内で弾性圧接しているカードのコンタクトパッドは、トレイ１５の前壁部１５ｂのカード前端部に対する押圧により、第１のコンタクト列１６および第２のコンタクト列１７から取り外される。そして、そのカードを収容したトレイ１５は、その底壁部１５ａの下面がベース部材１１の金属板部１１ｂ面に接して摺動し引き出される。
【００２８】
このトレイ１５の引き出し移動において、トレイ抜脱ストッパ１８は、トレイ１５の凹部１５ｆに滑合し、トレイ１５の引き出し移動の案内をする。そして、凹部１５ｆの一終端の係合部１５ｈに当接すると、このトレイ抜脱ストッパ１８はトレイ１５を係合部１５ｈで係止しそれ以上の引き出し移動を停止する。このようにして、トレイ１５およびカードはカードコネクタ１０から引き出されイジェクト状態になり、トレイ１５はそれ以上の引き出し移動が防止される。この状態で、カードはそのカード後端部が掴まれてカードコネクタ１０から取り出され脱着されることになる。
【００２９】
ここで、切り起こし片であるトレイ抜脱ストッパ１８の水平部１８ａは、上述したように金属板部１１ｂ面から所定の角度に傾斜しているとよい。この傾斜により、トレイ抜脱ストッパ１８は、主にその水平部１８ａの前端部において、側壁部１５ｄに設けられた凹部１５ｆに滑合するようになる。そして、上記傾斜角度がなく水平部１８ａ全体が凹部１５ｆに当接する場合に較べて、トレイ１５の引き出し移動における引っかかりがなく、トレイ抜脱ストッパ１８の案内が円滑に行われる。この傾斜角度は僅かであればよく例えば１度程度以内で充分である。
【００３０】
また、上記水平部１８ａに設けた傾斜は、トレイ１５のイジェクト状態においてカードコネクタ１０から抜け難くするように作用する。これは、この傾斜がトレイ１５の側壁部１５ｄの上面をカバー部材１２の上壁１２ａに押し当てるようになるからである。この傾斜を設けることによっても水平部１８ａの幅であるストッパ長Ｌは短くできる。
【００３１】
一方、カードのカードコネクタ１０への装着では、従来技術で説明したのと同様に、カードを収容したトレイ１５が例えばその手差しによるコネクタの前方への押圧によって挿入される。そして、トレイ抜脱ストッパ１８は、トレイ１５の挿入の場合にもトレイ１５の凹部１５ｆと滑合してトレイ１５の挿入案内をする。この場合でも、その水平部１８ａに上記傾斜角度が設けられていると、トレイ１５の凹部１５ｆが水平部１８ａで引っかかることが無くなり、トレイ１５の挿入移動におけるトレイ抜脱ストッパ１８の案内が円滑に行われる。
【００３２】
そして、例えば凹部１５ｆの他終端に当接すると、その位置において、トレイ抜脱ストッパ１８はトレイ１５を係止する。ここで、カードの外部端子として設けられたコンタクトパッドが第１のコンタクト列１６および第２のコンタクト列１７に加圧接触し電気接続する。このようにして、カードはカードコネクタ１０に装着される。また、この状態において、トレイ１５はそのカードを収容したままでカードコネクタ１０に収納される。
【００３３】
なお、カードコネクタ１０の組み立てにおいて、トレイ１５をカードコネクタ１０に装着する際には、トレイ１５の先端部１５ｇからカード挿抜口１４に差し込み、先端部１５ｇがトレイ抜脱ストッパ１８を通り越しコネクタに取り付けられる。このようなトレイ１５のコネクタへの装着は容易である。これは、トレイ１５の先端部１５ｇの上面がトレイ１５の後壁部１５ｃから側壁部１５ｄにかける上面よりも下側に低くなっていることによる。
【００３４】
上記実施形態において、トレイ１５の凹部１５ｆは側壁部１５ｄの外側面に沿って溝状に形成されていても構わない。この場合には、トレイ抜脱ストッパ１８の水平部１８ａは溝状になっている凹部１５ｆ内に嵌合する形態で摺動する。また、トレイ抜脱ストッパ１８は所定幅の切り起こし片である水平部１８ａのみからなり、垂直部１８ｂがない構造であってもよい。この場合には、垂直部１８ｂの両脇には切り欠き１９は延在しない。また、トレイ抜脱ストッパ１８はその水平部１８ａの所定幅が狭くなって棒状に近い構造になってもよい。この場合には、上述した水平部１８ａの前端部から後端部にかけての傾斜を特に設けなくてもよい。
【００３５】
従来技術で説明したトレイ抜脱ストッパは大きな弾性付勢をもつ必要があるために片持ち梁状板ばねとなっていた。これは、トレイをカードコネクタ内に挿入する場合には、トレイ抜脱ストッパがベース部材であるハウジングの底壁、カバー部材である金属製カバーの側壁あるいはその上壁に押しやられ、トレイを引き出す場合には、その弾性の復元力によりトレイを係止する必要があるからでもあった。これに対して、本実施形態のトレイ抜脱ストッパ１８は必ずしも弾性を有することはない。このトレイ抜脱ストッパ１８は、トレイを引き出す場合に弾性変形することなく、トレイ１５の係合部１５ｈに係合しトレイ１５を係止する。また、カードコネクタ１０に対するトレイ１５の挿出において、弾性変形することなくトレイ１５を案内する。
【００３６】
このために、本実施形態のカードコネクタ１０では、トレイ抜脱ストッパ１８のストッパ長Ｌは、従来技術におけるトレイ抜脱ストッパのストッパ長に較べてその縮減が極めて容易になる。そして、カードを脱着するためのトレイ１５のイジェクト状態において、トレイ１５のストローク量はトレイ抜脱ストッパ１８のストッパ長Ｌの縮減量に相当して増大する。
【００３７】
このストローク量の増大は、トレイ１５のイジェクト状態におけるトレイ１５からのカードの取り出しを容易にする。この効果は例えばＳＩＭカードのようなカードコネクタの小型化に伴い顕著なものになる。一般に、トレイ抜脱ストッパのストッパ長はカードおよびカードコネクタの小型化、低背化が進んでくると、カードおよびカードコネクタの寸法に対して相対的に増大する。このために、僅かなストッパ長Ｌの縮減であっても、トレイ１５のイジェクト状態でカード後端部を掴んでトレイ１５から取り出す場合に、カード挿抜口１４においてカード前端部がカバー部材１２の上壁１２ａとトレイ１５の底壁部１５ａの間で引掛ることがなくなる。そして、スムースなカードの取り出しができるようになる。
【００３８】
また、トレイ１５の挿入移動および引き出し移動は円滑で安定したものになり、トレイ抜脱ストッパ１８においては、従来技術で説明したような板ばね変形等の損傷は皆無になる。
【００３９】
そして、例えばＳＩＭカード、ＭｉｃｒｏＳＤカード等のカード、カードコネクタ１０の更なる小型化、低背化の阻害要因も取り除かれる。更に、カードコネクタ１０へのトレイ１５の収納状態において、２つのトレイ抜脱ストッパ１８がベース部材１１の左右の側壁１１ｃからトレイ１５の凹部１５ｆを介して狭圧する。このために、例えばトレイ１５の飛び出し等が抑制され、カードコネクタ１０に対して安定した収納が可能になる。そして、カードコネクタ１０に取り付けられているトレイ１５は、収容するカードの姿勢を正しく保持し、カードの外部端子であるコンタクトパッドと第１のコンタクト列１６および第２のコンタクト列１７との加圧接触を確実にする。
【００４０】
ここで、トレイ抜脱ストッパ１８の水平部１８ａが所定幅を有する場合には、それに傾斜をもたせることにより、カードコネクタ１０へのカードの装着あるいは脱着において、トレイ１５の挿入移動あるいは引き出し移動が極めて円滑になる。また、トレイ抜脱ストッパ１８が水平部１８ａと垂直部１８ｂを有し、その水平部１８ａのカード・トレイ収容空間１３に面する端面が傾斜することにより、カードコネクタ１０に対して極めて安定したトレイ１５の収納が可能になる。これは、上記水平部１８ａの前端部に垂直部１８ｂからの弾性力が集中することにより、上述したトレイ１５の凹部１５ｆへの狭圧が増大するからである。
【００４１】
そして、本実施形態のカードコネクタ１０では、その部品点数は少なく、上記トレイ抜脱ストッパ１８およびトレイ１５は簡素な構造となることから、その低コスト化は容易である。
【００４２】
以上、本発明の好適な実施形態について説明したが、上述した実施形態は本発明を限定するものでない。当業者にあっては、具体的な実施態様において本発明の技術思想および技術範囲から逸脱せずに種々の変形・変更を加えることが可能である。
【００４３】
例えば、トレイ１５の側壁部１５ｄには凹部１５ｆが無く、トレイ抜脱ストッパ１８は側壁部１５ｄの外側面に摺接するようになっていてもよい。また、カードコネクタ１０のベース部材１１は全て合成樹脂からなる一体構造になっていてもよい。また、トレイ抜脱ストッパ１８は棒状になっていてもよい。この場合、その角部に丸みが付けられていることが好ましい。
【００４４】
最後に、上記トレイ抜脱ストッパ１８は、カバー部材１２の側壁１２ｂに形成され、ベース部材１１の側壁１１ｃに設けられた開口を介してトレイ１５を係止できるような構造になっていてもよいことに言及しておく。
【符号の説明】
【００４５】
１０…カードコネクタ，１１…ベース部材，１１ａ…絶縁体平板部，１１ｂ…金属板部，１１ｃ…ベース部材の側壁，１２…カバー部材，１２ａ…上壁，１２ｂ…カバー部材の側壁，１２ｃ…折曲げ片，１３…カード・トレイ収容空間，１４…カード挿抜口，１５…トレイ，１５ａ…底壁部，１５ｂ…前壁部，１５ｃ…後壁部，１５ｄ…側壁部，１５ｅ…傾斜壁，１５ｆ…凹部，１５ｇ…先端部，１５ｈ…係合部，１５ｉ…把持部，１６…第１のコンタクト列，１６ａ…第１の接続端子部，１７…第２のコンタクト列，１７ａ…第２の接続端子部，１８…トレイ抜脱ストッパ，１８ａ…水平部，１９…切り欠き，２０…突起部
【図１】
2012128974.tif 000003
【図２】
2012128974.tif 000004
【図３】
2012128974.tif 000005
【図４】
2012128974.tif 000006
【図５】
2012128974.tif 000007